(57)【要約】  空気調和機の室内ユニット（１）は、天井空間に設置され、熱交換器（１６）および送風装置（２１）を筐体（５）に収容してなるユニット本体（２）と、室内空間の空気を吸い込む吸込口（３５）および温調した空気を一方向に吹き出す吹出口（３６）がそれぞれ配置され、ユニット本体の下部を覆う天井パネル（３）とを備えている。送風装置は、筐体の下縁よりも下方に突出してファン（２７）を取り囲むファンケース（２８）を有する。天井パネルは、下方へ突出するファンケースの突出部分（３２）をカバーし、突出部分の最下部（３２ａ）のカバー部位（３ａ）を基端に吹出口の配置側へ先端（５１ａ）まで上向きに傾斜する第１の傾斜部（５１）と、カバー部位を基端に吹出口の配置側とは反対側へ先端（５２ａ）まで上向きに傾斜する第２の傾斜部（５２）とを有する。
2020194556.tif 000002
【特許請求の範囲】
【請求項１】
天井空間に設置され、熱交換器および送風装置を筐体に収容してなるユニット本体と、
室内空間の空気を吸い込む吸込口および温調した空気を一方向に吹き出す吹出口がそれぞれ配置され、前記ユニット本体の下部を覆う天井パネルと、を備え、
前記送風装置は、前記筐体の下縁よりも下方に突出してファンを取り囲むファンケースを有し、
前記天井パネルは、下方へ突出する前記ファンケースの突出部分をカバーし、前記突出部分の最下部のカバー部位を基端に前記吹出口の配置側へ先端まで上向きに傾斜する第１の傾斜部と、前記カバー部位を基端に前記吹出口の配置側とは反対側へ先端まで上向きに傾斜する第２の傾斜部と、を有する
空気調和機の室内ユニット。
【請求項２】
前記天井パネルは、前記吸込口および前記吹出口をそれぞれ有するパネル本体と、前記吸込口を覆う格子形態の吸込グリルと、を有し、
前記第１の傾斜部は、前記パネル本体の一部と、前記吸込グリルの一部と、を含んで構成され、
第２の傾斜部は、前記吸込グリルの全体のうち、前記第１の傾斜部に含まれる部分を除いた残りの部分を含んで構成されている
請求項１に記載の空気調和機の室内ユニット。
【請求項３】
前記吸込グリルは、フィルタ要素が取り付けられたフィルタを支持し、
前記フィルタは、前記第１の傾斜部および前記第２の傾斜部の双方に沿って屈曲して構成されている
請求項２に記載の空気調和機の室内ユニット。
【請求項４】
前記天井パネルは、前記吸込口および前記吹出口をそれぞれ有するパネル本体と、前記吸込口を覆う格子形態の吸込グリルと、を有し、
前記第２の傾斜部は、前記吸込グリルの全体を含んで構成されている
請求項１に記載の空気調和機の室内ユニット。
【請求項５】
垂直方向の厚みは、前記第２の傾斜部の先端よりも前記第１の傾斜部の先端の方が薄い
請求項１から４のいずれか一項に記載の空気調和機の室内ユニット。
【発明の詳細な説明】
【技術分野】
【０００１】
本発明の実施形態は、天井設置型の空気調和機の室内ユニットに関する。
【背景技術】
【０００２】
天井設置型の空気調和機は、建屋の天井空間に設置された室内ユニットと、室内ユニットの下端に取り付けられた天井パネルとを備えている。室内ユニットの筐体内部は、熱交換室と送風室とに仕切られている。熱交換室には、冷媒と空気との間で熱交換を行う熱交換器が配置されている。送風室には、送風装置が配置されている。送風装置は、ファンモータ、ファンユニットを備えている。ファンユニットは、ファンモータで回転されるファンと、ファンを取り囲むファンケースを備えている。天井パネルは、天井面に沿うような形態で空調すべき室内に露出されているとともに、天井パネルの外郭を規定する縁部が天井面に接している。
【先行技術文献】
【特許文献】
【０００３】
【特許文献１】韓国登録特許第１０−０８２９１３３号公報
【特許文献２】実開昭５９−１５２３０８号公報
【発明の概要】
【発明が解決しようとする課題】
【０００４】
送風装置の送風性能の向上を図るための方策として、例えばファンケースを大型化し、ファンから熱交換器への送風量を増大させることが挙げられる。これに対し、室内ユニットの施工性の向上を図るための方策として、例えば筐体の高さを低くし、天井空間の設置スペースを小さくすることが挙げられる。【０００５】
しかしながら、これらの方策は相反する関係にあり、双方を両立させることは容易でない。このため、従来においては、例えば天井パネルが厚くならないように、ファンケースを筐体の枠内に収めるか、筐体枠からの出っ張り代を最小限に止めるような設計がなされてきた。したがって、ファンケースが大型化された分だけ、筐体も大型化されてしまう。【０００６】
本発明の目的は、送風装置の送風性能の向上を図るとともに、室内ユニットの薄型化による施工性の向上を図ることが可能な空気調和機を得ることにある。
【課題を解決するための手段】
【０００７】
実施形態によれば、空気調和機の室内ユニットは、天井空間に設置され、熱交換器および送風装置を筐体に収容してなるユニット本体と、室内空間の空気を吸い込む吸込口および温調した空気を一方向に吹き出す吹出口がそれぞれ配置され、ユニット本体の下部を覆う天井パネルとを備えている。送風装置は、筐体の下縁よりも下方に突出してファンを取り囲むファンケースを有する。天井パネルは、下方へ突出するファンケースの突出部分をカバーし、突出部分の最下部のカバー部位を基端に吹出口の配置側へ先端まで上向きに傾斜する第１の傾斜部と、カバー部位を基端に吹出口の配置側とは反対側へ先端まで上向きに傾斜する第２の傾斜部とを有する。
【図面の簡単な説明】
【０００８】
【図１】第１の実施形態に係る空気調和機の室内ユニットの斜視図である。
【図２】第１の実施形態に係る空気調和機の室内ユニットを分解して示す斜視図である。
【図３】第１の実施形態に係る空気調和機の室内ユニットの断面図である。
【図４】第１の実施形態に係る空気調和機の室内ユニットを室内側から見た平面図である。
【図５】第１の実施形態に係る空気調和機の室内ユニットの吸込グリルを開放するとともに、遮蔽板を外した状態を室内側から見た平面図である。
【図６】第１の実施形態に係る空気調和機の室内ユニットの吸込グリル開いた状態の一例を示す斜視図である。
【図７】図４の矢印Ａ４１部分における仮固定機構の断面を矢印方向に示す図である。
【図８】固定ピースが取り付け位置にある状態で、図４の矢印Ａ４２部分における固定機構の断面を矢印方向に示す図である。
【図９】固定ピースが取り付け位置にある状態で、図４の矢印Ａ４３部分における固定機構の断面を矢印方向に示す図である。
【図１０】固定ピースが取り付け位置にある状態で、図４の矢印Ａ４４部分における固定機構の断面を矢印方向に示す図である。
【図１１】固定ピースが取り外し位置にある状態で、図４の矢印Ａ４２部分における固定機構の断面を矢印方向に示す図である。
【図１２】固定ピースが取り外し位置にある状態で、図４の矢印Ａ４３部分における固定機構の断面を矢印方向に示す図である。
【図１３】第２の実施形態に係る空気調和機の室内ユニットの断面図である。
【発明を実施するための形態】
【０００９】
［第１の実施形態］
以下、第１の実施形態について、図１から図１２を参照して説明する。
【００１０】
図１は、空気調和機の室内ユニットの斜視図、図２は、ユニット本体と天井パネルとを互いに分離した状態を示す斜視図である。図３は、室内ユニットの断面図である。図４は、室内ユニットを室内側から見た平面図である。図５は、後述する吸込グリルを開くとともに、遮蔽板を外した状態で室内ユニットを室内側から見た平面図である。
【００１１】
図１から図５に示すように、空気調和機の室内ユニット１は、天井空間に設置されるユニット本体２と、ユニット本体２の下部をカバーする天井パネル３とを備えている。天井空間は、例えば建屋の天井裏の梁と天井板との間に規定された空間である。
【００１２】
ユニット本体２は、下向きに開口した四角い偏平な箱形の要素であって、例えば四本の吊りボルト４を介して天井裏の梁などから吊り下げられている。
【００１３】
図２に示すように、ユニット本体２は、筐体５を備えている。筐体５は、奥行き寸法Ｄ、幅寸法Ｗ、および厚さ寸法Ｈを有している。筐体５の奥行き寸法Ｄは、幅寸法Ｗよりも小さい。筐体５の厚さ寸法Ｈは、奥行き寸法Ｄおよび幅寸法Ｗよりも十分に小さい。筐体５は、例えば板金材のような薄肉の金属板で構成され、ユニット本体２の外郭を規定している。筐体５は、天板６、第１の側板７、第２の側板８、第３の側板９、および第４の側板１０を備えている。
【００１４】
天板６は、水平方向へ四辺形状に広がっている。第１の側板７および第２の側板８は、天板６の短辺から垂下し、筐体５の幅方向に間隔をあけて対向している。第３の側板９および第４の側板１０は、天板６の長辺から垂下し、筐体５の奥行き方向に間隔をあけて対向している。これらの側板７，８，９，１０は、天板６を取り囲むように連結されている。
【００１５】
第１の側板７および第２の側板８には、吊り金具１１が固定されている。吊り金具１１は、第１の側板７もしくは第２の側板８から筐体５の幅方向に張り出している。吊り金具１１には、吊りボルト４の下端部が連結されている。吊りボルト４に螺合されたナット（図示省略）の位置を調整することで、ユニット本体２の天井からの出っ張り高さが調整される。
【００１６】
図２および図３に示すように、筐体５は、天板６、第１の側板７、第２の側板８、第３の側板９、および第４の側板１０で規定される収容部１２を有している。収容部１２は、筐体５の幅方向に延びた仕切り板１３によって熱交換室１４と送風室１５の二室に区画されている。熱交換室１４および送風室１５は、筐体５の奥行き方向に並んでいる。
【００１７】
図３に示すように、熱交換室１４には、熱交換器１６およびドレンパン１７が収容されている。熱交換室１４に面した天板６および第３の側板９の内面は、例えば発泡スチロールのような断熱材１８で覆われている。同様に、熱交換室１４に面した第２の側板８の内面は、他の断熱材（図示省略）で覆われている。熱交換室１４の第１の側板７に隣接した端部には、機械室（図示省略）が形成されている。機械室は、熱交換室１４から隔てられた独立した室であり、例えばドレンポンプ、冷媒分配器、複数の冷媒配管のような各種の冷凍サイクル機器（いずれも図示省略）が収容されている。
【００１８】
熱交換器１６は、複数の放熱フィン１９および冷媒が流れる複数本の伝熱管２０を備えている。熱交換器１６は、筐体５の第２の側板８と機械室との間に跨って、筐体５の幅方向に延びている。ドレンパン１７は、例えば発泡スチロールのような断熱材で構成されている。ドレンパン１７は、熱交換器１６から滴下する水滴を受け止めるように熱交換器１６を下方から支えるとともに、断熱材１８および他の断熱材と協働して熱交換器１６を取り囲んでいる。
【００１９】
図２、図３、図５に示すように、送風室１５には、送風装置２１が収容されている。送風装置２１は、ファンモータ２２、第１のファンユニット２３、第２のファンユニット２４を備えている。  
ファンモータ２２は、モータハウジング２５に支持された回転軸２６を有している。回転軸２６は、モータハウジング２５の一端から水平に突出された第１の軸部２６ａと、モータハウジング２５の他端から水平に突出された第２の軸部２６ｂとを含んでいる。これらの軸部２６ａ，２６ｂは、互いに同軸状に配置されている。
【００２０】
第１のファンユニット２３および第２のファンユニット２４は、ファンモータ２２を挟んで対向するように、互いに間隔をあけて配置されている。第１のファンユニット２３および第２のファンユニット２４は、それぞれファン２７およびファンケース２８を有している。
【００２１】
ファン２７は、円筒状の多翼ファン（シロッコファン）として構成されている。第１のファンユニット２３のファン２７は、回転軸２６の第１の軸部２６ａの先端部に同軸状に取り付けられている。第２のファンユニット２４のファン２７は、回転軸２６の第２の軸部２６ｂの先端部に同軸状に取り付けられている。
【００２２】
ファンケース２８は、吸気孔２９およびノズル部３０を有している。吸気孔２９は、ファン２７の軸方向に沿う両側で送風室１５に開口されている。ノズル部３０は、収容部１２の仕切り板１３を貫通し、熱交換室１４に開口する吐出口３１を有している。吐出口３１は、筐体５の幅方向に沿う横長の四角い開口形状をなしている。また、第１のファンユニット２３の吐出口３１および第２のファンユニット２４の吐出口３１は、筐体５の幅方向に互いに間隔をあけて並んでいる。
【００２３】
ファンケース２８は、筐体５の下縁、具体的には第１から第４の側板７，８，９，１０の下縁よりも下方に突出する突出部分３２を有する。
【００２４】
これらのファンユニット２３，２４のファン２７が回転すると、送風室１５内の空気が吸気孔２９を通じてファン２７の内側に吸い込まれる。ファン２７に吸い込まれた空気は、ファン２７の外周部からファンケース２８の内部に吐出されるとともに、ノズル部３０の吐出口３１を通じて熱交換室１４に吹き出される。
【００２５】
天井パネル３は、ユニット本体２の下部を室内側からカバーする要素であって、図示しない天井に沿うような姿勢で配置されている。天井パネル３は、パネル本体３３と、吸込グリル３４とを備えている。パネル本体３３および吸込グリル３４は、例えば合成樹脂材料で形成されている。
【００２６】
図１から図５に示すように、パネル本体３３は、天井に沿って、筐体５の奥行き寸法Ｄおよび幅寸法Ｗよりもいずれも大きな四辺形状の外郭をなし、筐体５の開口領域を覆っている。筐体５の開口領域は、第１の側板７、第２の側板８、第３の側板９、および第４の側板１０のそれぞれの下端で囲まれた領域である。これにより、パネル本体３３は、収容部１２に収容されたドレンパン１７、ファンモータ２２およびファンケース２８をカバーし、遮蔽している。
【００２７】
パネル本体３３は、吸込口３５、吹出口３６、および作業口３７を有している。  
吸込口３５は、筐体５の幅方向に沿う横長の形状をなし、送風室１５と対向するように配置されている。室内空間の空気は、ファン２７が回転することにより、吸込口３５から送風室１５に吸い込まれる。
【００２８】
吹出口３６は、筐体５の幅方向に沿う横長の形状をなし、熱交換室１４と対向するように配置されている。ファン２７が回転することにより吐出口３１を通じて熱交換室１４に吹き出された空気は、熱交換器１６で温調された後、吹出口３６から室内に向けて吹き出される。本実施形態では、パネル本体３３には吹出口３６が一つだけ設けられており、吹出口３６は、温調された空気を開口方向の一方向に吹き出す。
【００２９】
吹出口３６には、フラップ３８が取り付けられている。フラップ３８は、吹出口３６から室内に向けて吹き出す空気の吹き出し方向を変化させる要素であって、パネル本体３３に回動可能に支持されている。フラップ３８は、外観上、パネル本体３３および吸込グリル３４と同一素材であるとともに、同一色であることが望ましい。フラップ３８は、吹出口３６に沿った細長い矩形状の平板であり、吹出口３６を開閉するのに支障がないように、縦横寸法ともに吹出口３６よりも若干小さい。ただし、フラップ３８で吹出口３６を閉塞した状態で、吹出口３６とフラップ３８との間に目立った隙間のないように、フラップ３８は寸法設定されている。
【００３０】
作業口３７は、ユニット本体２の天井からの出っ張り高さを調整する際、吊りボルト４に下方からアクセスするための開口である。作業口３７は、吸込口３５および吹出口３６の長手方向の両側にそれぞれ１つずつ、パネル本体３３の四隅に配置されている。通常時、吸込口３５の両脇に位置する作業口３７ａは、吸込グリル３４で遮蔽され、吹出口３６の両外側に位置する作業口３７ｂは、遮蔽板３８で遮蔽されている。遮蔽板３９は、パネル本体３３に着脱可能に取り付けられている。
【００３１】
吸込グリル３４は、吸込口３５および作業口３７ａを覆うように、パネル本体３３に着脱可能に取り付けられている。吸込グリル３４は、吸込部４０およびダミー部４１を有している。吸込部４０は、筐体５の幅方向に沿う横長で、室内空間の空気を吸い込み可能な格子状をなし、吸込口３５と対向するように配置されている。ダミー部４１は、吸込部４０を挟むように、吸込部４０の長手方向の両外側に１つずつ配置されている。ダミー部４１は、室内空間の空気を吸い込み不能な板状体であるが、該板状体の下面は吸込部４０と同様の格子形態をなしている。
【００３２】
吸込部４０は、長手方向に連続する横桟４２ａが所定間隔で並ぶとともにこれらの横桟４２ａと交差する縦桟４２ｂにより形成される格子形態をなしている。これに対し、ダミー部４１は、吸込部４０の横桟４２ａに沿って長手方向に連続するとともに、吸込部４０の横桟４２ａと同一間隔で並んだ横桟４２ｃを有する格子形態をなしている。これにより、吸込部４０およびダミー部４１は、外観上、吸込部４０の長手方向に沿って横桟４２ａ，４２ｃが同一間隔で並んだ同等の格子形態をなす。
【００３３】
吸込部４０の上面には、フィルタ４３が取り外し可能に支持されている。フィルタ４３は、吸込口３５を覆うように吸込部４０の長手方向に延在し、一例として２つに分割して構成されている。これらのフィルタ４３は、第１のファンユニット２３および第２のファンユニット２４のファンケース２８とそれぞれ対向している。フィルタ４３には、吸込部４０から吸い込まれる室内空間の空気をろ過するフィルタ要素（図示省略）が取り付けられている。
【００３４】
吸込グリル３４は、長手方向に沿った外側辺縁３４ａを支点にパネル本体３３に対して回動し、吸込口３５および作業口３７ａを開閉する。吸込グリル３４には、パネル本体３３の係合部３３ａと係合する係合片（図示省略）が設けられている。係合部３３ａは、吸込口３５および作業口３７ａの外側周縁３５ａ，３７ｃに配置されている。係合片は、吸込グリル３４の長手方向に沿った外側辺縁３４ａに配置されている。係合部３３ａと係合片が係合することで、図６に示すように、吸込口３５および作業口３７ａの開閉時、吸込グリル３４は、パネル本体３３に対してぶら下がった状態となる。図６は、吸込グリル３４が開いてぶら下がった状態の一例を示す斜視図である。
【００３５】
この状態においては、図５および図６に示すように、作業口３７ａを室内側に露出させることができる。したがって、作業口３７ａを通して吊り金具１１および吊りボルト４を目視することができる。これにより、作業口３７ａから吊りボルト４に螺合されたナット（図示省略）の位置を調整することで、ユニット本体２の天井からの出っ張り高さを調整できる。すなわち、例えば作業口３７ａをカバーする専用部品を追加することなく、吸込グリル３４で作業口３７ａを遮蔽でき、吸込グリル３４を開くだけで、ユニット本体２の出っ張り高さが調整可能となる。
【００３６】
図２および図４に示すように、吸込グリル３４は、仮固定機構４４を備えている。仮固定機構４４は、吸込口３５および作業口３７ａがそれぞれ遮蔽された状態となるように、パネル本体３３に吸込グリル３４を仮固定するための機構である。仮固定とは、パネル本体３３に吸込グリル３４を固定するまでの間、吸込グリル３４の姿勢を保持して安定させることとして規定する。仮固定することにより、パネル本体３３に対する吸込グリル３４の固定作業が容易になる。
【００３７】
図７には、仮固定機構４４の構成を示す。図７は、図４の矢印Ａ４１部分における仮固定機構４４の断面を矢印方向に示す図である。図２、図４および図７に示すように、仮固定機構４４は、仮掛けフック４５および仮掛け爪４６を有し、吸込グリル３４の長手方向に沿った内側辺縁３４ｂのほぼ中央部に配置されている。
【００３８】
仮掛けフック４５は、台座部４５ａと、腕部４５ｂと、返し部４５ｃとを含み、例えば合成樹脂材料で形成されている。台座部４５ａは、パネル本体３３との固定部分であり、パネル本体３３の上面側の固定部３３ｂにねじ４５ｄで位置決め固定されている。腕部４５ｂは、台座部４５ａから垂下し、吸込部４０において隣り合う横桟４２ａ同士の隙間４０ａに差し込まれている。これにより、腕部４５ｂは、台座部４５ａとの連結部位４５ｅを起点に、隙間４０ａにおいて吸込部４０の短手方向に撓み変形する片持ちばねの構造をなす。返し部４５ｃは、腕部４５ｂの先端に設けられ、腕部４５ｂの撓み変形からの弾性復帰力で仮掛け爪４６を引っ掛ける。返し部４５ｃは、隙間４０ａからアクセス可能とされている。これにより、腕部４５ｂに対し、弾性復帰力に抗して返し部４５ｃから外力を作用可能となっている。
【００３９】
仮掛け爪４６は、隙間４０ａを規定する一方の横桟４２ａから返し部４５ｃに向けて突出している。仮掛け爪４６は、返し部４５ｃに引っ掛かり、吸込グリル３４をパネル本体３３に対して支持する。吸込口３５および作業口３７ａをそれぞれ遮蔽するように吸込グリル３４を閉じると、仮掛け爪４６が返し部４５ｃに引っ掛かる。これにより、パネル本体３３に吸込グリル３４が仮固定される。なお、吸込口３５および作業口３７ａをそれぞれ開口させるように吸込グリル３４を開ける場合、返し部４５ｃを仮掛け爪４６から離す方向へ腕部４５ｂを倒し、返し部４５ｃと仮掛け爪４６との引っ掛かりを解けばよい。
【００４０】
図２および図４に示すように、仮固定機構４４に加えて、吸込グリル３４は、固定機構４７を備えている。固定機構４７は、仮固定機構４４で仮固定された吸込グリル３４をパネル本体３３に固定するための機構である。固定機構４７によれば、吸込グリル３４は、吸込口３５および作業口３７ａをそれぞれ遮蔽した状態でパネル本体３３に対して位置決め固定される。
【００４１】
図８から図１２には、固定機構４７の構成を示す。図８および図１１は、図４の矢印Ａ４２部分における固定機構４７の断面を矢印方向に示す図である。図９および図１２は、図４の矢印Ａ４３部分における固定機構４７の断面を矢印方向に示す図である。図１０は、図４の矢印Ａ４４部分における固定機構４７の断面を矢印方向に示す図である。
【００４２】
図８から図１２に示すように、固定機構４７は、仮固定機構４４で仮固定された吸込グリル３４をパネル本体３３に固定するための機構である。固定機構４７によれば、吸込グリル３４は、吸込口３５および作業口３７ａをそれぞれ遮蔽した状態でパネル本体３３に対して位置決め固定される。固定機構４７は、固定ピース４８、ピース台座４９および固定ねじ５０を有し、ダミー部４１に配置されている。
【００４３】
固定ピース４８は、第１片部４８ａ、第２片部４８ｂ、第３片部４８ｃ、第４片部４８ｄ、および第５片部４８ｅを含み、例えばダミー部４１と同一の合成樹脂材で形成されている。固定ピース４８は、吸込部４０、ダミー部４１、およびパネル本体３３で囲まれた領域に嵌め込まれる。
【００４４】
第１片部４８ａは、ダミー部４１とほぼ面一の板状体であり、吸込グリル３４の長手方向へダミー部４１の幅寸法とほぼ同一寸法で延在している。第１片部４８ａは、ダミー部４１と同様の格子形態をなしており、その下面部には、ダミー部４１の横桟４２ｃと同一間隔で、吸込部４０の横桟４２ａと連続する横桟４２ｄが設けられている。これにより、第１片部４８ａの外観形態は、吸込部４０およびダミー部４１とほぼ同化する。
【００４５】
第２片部４８ｂは、第１片部４８ａの一長辺縁から起立する板状体であり、長方形の開口形状をなすガイド孔４８ｆを有している。ガイド孔４８ｆには、ダミー部４１から突出するガイド軸４１ｂが挿抜可能に挿し込まれている。これにより、固定ピース４８は、ダミー部４１に対し、適切な姿勢で位置付けられるとともに、ガイド孔４８ｆの一端から他端の間でスライド可能に位置付けられる。
【００４６】
例えば、図８に示すように、ガイド孔４８ｆの一端４８ｇとガイド軸４１ｂとが接触する位置は、ダミー部４１に対する固定ピース４８の取り付け位置を規定する。取り付け位置において、第１片部４８ａおよび第２片部４８ｂの端面は、吸込部４０の当接面４０ｂとそれぞれ接触している。なお、図８、図９、および図１０には、固定ピース４８が取り付け位置にある状態をそれぞれ示す。これに対し、図１１に示すように、ガイド孔４８ｆの他端４８ｈとガイド軸４１ｂとが接触する位置は、ダミー部４１に対する固定ピース４８の取り外し位置を規定する。取り外し位置において、第１片部４８ａおよび第２片部４８ｂの端面は、吸込部４０の当接面４０ｂからいずれも離れている。なお、図１１および図１２には、固定ピース４８が取り外し位置にある状態をそれぞれ示す。
【００４７】
第３片部４８ｃは、第２片部４８ｂに連続する板状体である。第３片部４８ｃは、第２片部４８ｂの起立端からさらに起立して屈曲し、固定ピース４８が取り付け位置にスライドする方向へ向けて延びている。図１１に示すように、第３片部４８ｃと第２片部４８ｂの起立端との間には、空隙４８ｉが形成されている。すなわち、第３片部４８ｃは、第２片部４８ｂから鉤状に突出している。
【００４８】
図１０に示すように、第４片部４８ｄは、第１片部４８ａに連続する板状体である。第４片部４８ｄは、第１片部４８ａの一短辺縁から起立して屈曲し、固定ピース４８が取り付け位置にスライドする方向へ向けて延びている。第４片部４８ｄは、第１片部４８ａに対して凹状に上方へ連続している。これにより、第４片部４８ｄの延出端部４８ｊは、格子形態をなす吸込グリル３４の外観化粧面よりも上方へ奥まって位置付けられる。外観化粧面は、ダミー部４１の横桟４２ｃや吸込部４０の横桟４２ａによって構成されている。延出端部４８ｊは、二股に分かれており、固定ピース４８が取り付け位置にスライドすると、固定ねじ５０のねじ軸５０ａを挟み込む。
【００４９】
図６、図８および図１１に示すように、第５片部４８ｅは、第１片部４８ａおよび第２片部４８ｂに壁状に連続する板状体である。第５片部４８ｅは、固定ピース４８が取り付け位置にスライドした状態で、吸込グリル３４の短手方向に沿ったダミー部４１の外側面４１ｃとほぼ面一となる。
【００５０】
図８から図１２に示すように、ピース台座４９は、第１片部４９ａ、第２片部４９ｂ、第３片部４９ｃ、第４片部４９ｄ、第５片部４９ｅ、第６片部４９ｆ、第７片部４９ｇ、第８片部４９ｈ、および第９片部４９ｉを含み、例えば吸込部４０と同一の合成樹脂材で形成されている。ピース台座４９は、吸込部４０に固定されている。
【００５１】
第１片部４９ａは、固定ピース４８の第３片部４８ｃと係合する板状体であり、吸込グリル３４の長手方向へ空隙４８ｉに向けて延在している。図８に示すように、固定ピース４８が取り付け位置にスライドすると、第１片部４９ａは、空隙４８ｉに差し込まれて固定ピース４８の第３片部４８ｃと係合する。これにより、固定ピース４８が吸込部４０に位置決めされる。すなわち、第１片部４９ａは、第２片部４９ｂから第９片部４９ｉにより構成されるピース台座４９の本体部分から第３片部４８ｃと係合可能な鉤状に突出している。これに対し、図１１に示すように、固定ピース４８が取り外し位置にスライドすると、第１片部４９ａは、空隙４８ｉから抜け出して固定ピース４８の第３片部４８ｃとの係合が解かれる。
【００５２】
図８から図１２に示すように、第２片部４９ｂは、空隙４８ｉへの差込側とは反対側の第１片部４９ａの辺縁から起立する板状体である。第３片部４９ｃは、第２片部４９ｂの起立端から第１片部４９ａとほぼ平行に延出する板状体である。第４片部４９ｄは、第３片部４９ｃの延出端から垂下する板状体である。第５片部４９ｅは、第１片部４９ａおよび第２片部４９ｂに壁状に連続する板状体である。第６片部４９ｆは、第２片部４９ｂ、第３片部４９ｃ、および第４片部４９ｄにそれぞれ壁状に連続する板状体である。第７片部４９ｇは、第４片部４９ｄの延出端から第１片部４９ａとほぼ平行に延出する板状体である。第８片部４９ｈは、第７片部４９ｇの延出端から起立する板状体である。第９辺部ｉは、第７片部４９ｇおよび第８片部４９ｈに壁状に連続する板状体である。第７片部４９ｇ、第８片部４９ｈ、および第９片部４９ｉは、吸込部４０に対するピース台座４９の固定部分である。
【００５３】
図１０に示すように、固定ねじ５０は、固定ピース４８をパネル本体３３に固定する。具体的には、吸込部４０に位置決めされた状態の固定ピース４８の第４片部４８ｄがパネル本体３３の固定台座３３ｃに固定ねじ５０で固定される。固定ピース４８が吸込部４０に位置決めされた状態は、第１片部４９ａが空隙４８ｉに差し込まれて固定ピース４８の第３片部４８ｃと係合し、第４片部４８ｄの延出端部４８ｊが固定ねじ５０のねじ軸５０ａを挟み込んだ状態である。固定台座３３ｃは、パネル本体３３の吸込口３５と作業口３７ａとを隔てる隔壁を構成する部分である。固定ねじ５０を締め付けることで第４片部４８ｄが固定台座３３ｃに締結され、吸込グリル３４は、固定ピース４８を介してパネル本体３３に位置決め固定される。逆に、固定ねじ５０を緩めることで第４片部４８ｄと固定台座３３ｃとの締結が解かれ、図１１に示すように、固定ピース４８を取り外し位置にスライドさせることが可能となる。
【００５４】
したがって、パネル本体３３の吸込口３５および作業口３７ａを開閉させる際には、固定ねじ５０を緩める必要がある。すなわち、固定ねじ５０を緩める所定の工具を用いることなく、ユーザが筐体５のファンモータ２２やファン２７などに触れることを防止できる。また、固定ねじ５０は、吸込部４０の隙間４０ａからアクセス可能とされている。ただし、固定ねじ５０の頭部５０ｂは、格子形態をなす吸込グリル３４の外観化粧面よりも上方へ奥まった位置に存在している。このため、ねじキャップなどの別部品を追加することなく、固定ねじ５０の頭部５０ｂを外観上目立たなくできる。
【００５５】
図３に示すように、本実施形態において、天井パネル３は、第１の傾斜部５１と、第２の傾斜部５２とを有している。天井パネル３は、ファンケース２８の突出部分３２をカバーしている。
【００５６】
第１の傾斜部５１は、突出部分３２の最下部３２ａを天井パネル３がカバーする部位（以下、カバー部位という）３ａを基端に、吹出口３６の配置側へ先端５１ａまで上向きに傾斜している。第１の傾斜部５１は、パネル本体３３の一部であるパネル傾斜部３３ｄと、吸込グリル３４の一部であるグリル第１部分３４ｃとを、主な要素として含んで構成されている。加えて、第１の傾斜部５１は、パネル本体３３の一部であるパネル枠部３３ｅおよびフラップ３８も構成要素として含んでいる。パネル枠部３３ｅは、吸込グリル３４、フラップ３８、および遮蔽板３９がそれぞれ取り付けられるパネル本体３３の枠部分である。また、グリル第１部分３４ｃは、吸込部４０およびダミー部４１のそれぞれ一部分を含んで構成されている。
【００５７】
第２の傾斜部５２は、カバー部位３ａを基端に吹出口３１の配置側とは反対側へ先端５２ａまで上向きに傾斜している。すなわち、第２の傾斜部５２は、カバー部位３ａを境に第１の傾斜部５１とは反対側へ傾斜している。第２の傾斜部５２は、グリル第２部分３４ｄを主な要素として含んで構成されている。加えて、第２の傾斜部５２は、パネル枠部３３ｅも構成要素として含んでいる。グリル第２部分３４ｄは、吸込グリル３４の全体のうち、第１の傾斜部５１に含まれるグリル第１部分３４ｃを除いた残りの部分である。グリル第２部分３４ｄは、吸込部４０およびダミー部４１のうち、グリル第１部分３４ｃの構成部分を除いた残りの部分を含んで構成されている。
【００５８】
カバー部位３ａは、天井パネル３の最下部に相当する。したがって、天井パネル３は、最下部であるカバー部位３ａを境に、筐体５の奥行き方向の一方側が第１の傾斜部５１によって、他方側が第２の傾斜部５２によって、それぞれ外観上ほぼ平面的に構成される。第１の傾斜部５１と第２の傾斜部５２の水平面に対する傾斜角度は、ファンケース２８の突出部分３２の突出度合に応じて設定すればよい。これらの傾斜角度は、同一であってもよいし、異なっていてもよい。
【００５９】
天井パネル３をこのような構成とするべく、パネル本体３３は、カバー部位３ａ挟んで吹出口３６側にパネル傾斜部３３ｄが配置されている。また、吸込グリル３４は、グリル第１部分３４ｃとグリル第２部分３４ｄとに、カバー部位３ａを境に屈曲した構造をなす。また、フィルタ４３は、吸込グリル３４と同様に、フィルタ第１部分４３ａとフィルタ第２部分４３ｂとに、カバー部位３ａでの支持部分４３ｃを境に屈曲した構造をなす。
【００６０】
図３および図６に示すように、第１の傾斜部５１の先端５１ａの垂直方向の厚みＨ５１は、第２の傾斜部５２の先端５２ａの厚みＨ５２よりも薄い。第１の傾斜部５１の先端５１ａは、パネル枠部３３ｅの第１パネル枠部３３ｆによって規定される。第１パネル枠部３３ｆは、パネル枠部３３ｅのうち、フラップ３８および遮蔽板３９の取り付け側に位置する長手部分である。第２の傾斜部５２の先端５２ａは、パネル枠部３３ｅの第２パネル枠部３３ｇによって規定される。第２パネル枠部３３ｇは、パネル枠部３３ｅのうち、吸込グリル３４の取り付け側に位置する長手部分である。すなわち、第１パネル枠部３３ｆは、第２パネル枠部３３ｇよりも扁平な形態をなしている。厚みＨ５１と厚みＨ５２の寸法比は、第１の傾斜部５１と第２の傾斜部５２の水平面に対する傾斜角度、換言すればファンケース２８の突出部分３２の突出度合に応じて設定すればよい。
【００６１】
このように本実施形態によれば、第１の傾斜部５１および第２の傾斜部５２を有する天井パネル３でファンケース２８の突出部分３２をカバーしている。このため、ファンケース２８を大型化し、ファン２７からの送風量を増大させることができる一方で、筐体５の厚さ寸法Ｈを抑制することができる。筐体５の厚さ寸法Ｈを抑制することで、室内ユニット１を薄型化させることができるとともに、室内ユニット１の天井空間への据付制約の要素となる天井懐寸法を小さくできる。この結果、室内ユニット１の天井空間への設置時における施工性の向上を図ることが可能となる。また、ファン２７の送風量を増大させるべくファンケース２８を最大限まで大型化させた場合であっても、天井パネル３の厚みを抑えたデザインとすることが可能となる。
【００６２】
また、本実施形態によれば、第１の傾斜部５１の先端５１ａ（第１パネル枠部３３ｆ）の厚みＨ５１は、第２の傾斜部５２の先端５２ａ（第２パネル枠部３３ｇ）の厚みＨ５２よりも薄い。先端５１ａは、天井パネル３の最下部であるカバー部位３ａに対して吹出口３６の配置側に位置し、先端５２ａは、その反対側に位置している。したがって、室内空間において先端５１ａが室内、先端５２ａが壁をそれぞれ向くように室内ユニット１を設置することで、ユーザの目につきやすい先端５１ａの厚みＨ５１を先端５２ａの厚みＨ５２と比べて薄くすることができる。これにより、天井パネル３の全体が外観上薄く見えるデザインとすることが可能となる。
【００６３】
上述したように、本実施形態では、吸込グリル３４は、グリル第１部分３４ｃとグリル第２部分３４ｄとに、カバー部位３ａを境に屈曲した構造とされている。ただし、吸込グリル３４は、このように屈曲させなくともよい。以下、吸込グリルを屈曲させることなく、外観上ほぼ平面的な構造とした実施形態を第２の実施形態として説明する。
【００６４】
［第２の実施形態］
図１３は、第２の実施形態の室内ユニット１ａの断面図である。第２の実施形態の室内ユニット１ａは、天井パネル５３の構成が第１の実施形態の室内ユニット１と相違している。これ以外の室内ユニット１ａの構成は、室内ユニット１と同様である。したがって、室内ユニット１と同様の構成については、図面上で同一符号を付して説明を省略する。
【００６５】
図１３に示すように、天井パネル５３は、パネル本体５４と、吸込グリル５５とを備えている。また、天井パネル５３は、第１の傾斜部５６と、第２の傾斜部５７とを有している。
【００６６】
第１の傾斜部５６は、カバー部位３ａを基端に、吹出口３６の配置側へ先端５６ａまで上向きに傾斜している。第１の傾斜部５６は、パネル本体５４の一部であるパネル傾斜部５４ａを主な要素として構成され、吸込グリル５５を含まずに構成されている。
【００６７】
第２の傾斜部５７は、カバー部位３ａを基端に吹出口３６の配置側とは反対側へ先端５７ａまで上向きに傾斜している。すなわち、第２の傾斜部５７は、カバー部位３ａを境に第１の傾斜部５６とは反対側へ傾斜している。第２の傾斜部５７は、吸込グリル５５の全体、つまり吸込部およびダミー部の全体を主な要素として含んで構成されている。
【００６８】
したがって、パネル本体５４は、第１の実施形態と同様に、カバー部位３ａ挟んで吹出口３６側にパネル傾斜部５４ａが配置されている。これに対し、吸込グリル５５は、カバー部位３ａを境に屈曲した構造にはなっておらず、カバー部位３ａを挟んで吹出口３６側には配置されていない。なお、フィルタ５８は、吸込グリル５５と同様に、屈曲することなく、カバー部位３ａでの支持部分５８ａを挟んで吹出口３６側には配置されていない。
【００６９】
本実施形態によれば、室内空間において先端５６ａ（第１パネル枠部３３ｆ）が室内、先端５７ａ（第２パネル枠部３３ｇ）が壁をそれぞれ向くように室内ユニット１ａを設置した場合、室内空間から見ると、吸込グリル５５の格子形態がパネル傾斜部５４ａの奥側に隠れる。このため、第１の実施形態のグリル第１部分３４ｃのようには格子形態を室内側に露出させずに済む。したがって、室内空間から見た場合、格子形態を持たないパネル傾斜部５４ａが室内側に露出されるため、天井パネル５３を外観上フラットですっきりとしたデザインとすることが可能となる。
【００７０】
以上、本発明の第１および第２の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７１】
１…室内ユニット、２…ユニット本体、３…天井パネル、３ａ…カバー部位、５…筐体、１６…熱交換器、２１…送風装置、２７…ファン、２８…ファンケース、３２…ファンケースの突出部分、３２ａ…突出部分の最下部、３５…吸込口、３６…吹出口、５１…第１の傾斜部、５１ａ…第１の傾斜部の先端、５２…第２の傾斜部、５２ａ…第２の傾斜部の先端。
【図１】
2020194556.tif 000003
【図２】
2020194556.tif 000004
【図３】
2020194556.tif 000005
【図４】
2020194556.tif 000006
【図５】
2020194556.tif 000007
【図６】
2020194556.tif 000008
【図７】
2020194556.tif 000009
【図８】
2020194556.tif 000010
【図９】
2020194556.tif 000011
【図１０】
2020194556.tif 000012
【図１１】
2020194556.tif 000013
【図１２】
2020194556.tif 000014
【図１３】
2020194556.tif 000015
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
天井空間に設置され、熱交換器および送風装置を筐体に収容してなるユニット本体と、
室内空間の空気を吸い込む吸込口および温調した空気を一方向に吹き出す吹出口がそれぞれ配置され、前記ユニット本体の下部を覆う天井パネルと、を備え、
前記天井パネルは、前記吸込口および前記吹出口をそれぞれ有するパネル本体と、前記吸込口を覆う吸込グリルと、を備えるとともに、前記天井パネルの前記吹出口よりも前記吸込口側寄りに当該天井パネルの最下部が位置し、前記最下部を基端に前記吹出口の配置側へ先端まで上向きに傾斜する第１の傾斜部と、前記最下部を基端に前記吹出口の配置側とは反対側へ先端まで上向きに傾斜する第２の傾斜部と、を有し、
前記第２の傾斜部に前記吸込グリルの全体を含んで構成されている
空気調和機の室内ユニット。
【請求項２】
前記吸込グリルは、前記室内空間の空気を吸い込み可能な格子形態をなす吸込部と、前記吸込部の長手方向の両外側に配置されて前記室内空間の空気が吸込み不能なダミー部とを備え、前記ダミー部の下面は前記吸込部の前記格子形態と同様の格子形態をなす
請求項１に記載の空気調和機の室内ユニット。
【請求項３】
前記吸込グリルは、前記パネル本体に前記吸込グリルを固定するための固定機構を有し、前記固定機構は前記ダミー部にそれぞれ設けられ、当該固定機構の下面は前記ダミー部と同様の格子形態をなしている
請求項２に記載の室内ユニット。
【請求項４】
（削除）
【請求項５】
（削除）
【国際調査報告】
2020194556.tif 000016
2020194556.tif 000017
2020194556.tif 000018
2020194556.tif 000019